(57)【要約】      （修正有）【課題】容易かつ迅速に開けられる工具箱を提供する。【解決手段】二つの殻体１０，２０によって、第一収納箱３０と、第二収納箱４０と、第三収納箱５０に覆い被さり、第一収納箱３０と第二収納箱４０は第一制御装置６０を通じて、二つの殻体１０，２０に収納されて自動に開くことができ、第三収納箱５０は第二制御装置７０を通じて、二つの殻体１０，２０に収納されて自動的に開くことができることを特徴とする。【選択図】図１
0003149504.tif 000002
【実用新案登録請求の範囲】
【請求項１】
工具箱であって、
収納部と第一収納空間が設けられてある第一殻体と、
第一殻体に結合される第二殻体と、
前記二つの殻体に枢設されて第一収納空間に収納され、当て部が設けられてある第一収納箱と、
第一殻体の収納部に設けられ、当て部が設けられてある制御装置と、を備え、
制御装置が第一位置にある場合、制御装置の当て部は第一収納箱の当て部に当て付けて第一収納箱を二つの殻体内に収納し、制御装置が第二位置にある場合、制御装置の当て部は第一収納箱の当て部に当て付けることなく、第一収納箱は自動的に開くことを特徴とする工具箱。
【請求項２】
前記制御装置は弾き具、制御部材、弾性部材と弾性体を備え、弾き具の一端は弾き部で、他端は制御部であり、二つの殻体にはそれぞれ孔が設けられ、前記弾き具の制御部は孔に取り付けられて前記制御部材を動かし移動し、前記制御装置の当て部は前記制御部材に設けられて第一収納箱の当て部に対応し、前記制御部材には据え置き溝が形成され、前記制御部は前記据え置き溝に設けられ、前記弾性部材の第一脚は第一殻体に嵌め付けられ、第一収納箱の当て部近くには凹欠けが設けられ、前記弾性部材の第二脚は凹欠けに嵌め付けられて弾性部材を圧縮し、前記制御部材には凹孔が設けられ、前記弾性体はちょうど前記凹孔に設けられ、二つの殻体にはそれぞれ二つの嵌め部が設けられ、第一収納箱には二つの枢部が設けられ、第一収納箱の枢部は嵌め部に対応して二つの殻体に相対して枢転することができ、第二殻体の嵌め部近くには枢部が設けられ、第一収納箱には弧形孔が設けられ、第二殻体の枢部は弧形孔に対応して第一収納箱を枢転させ、第一殻体には更に第二収納空間が設けられ、他に第二収納空間に第二収納箱が設けられ、前記制御装置が第一位置にある場合、二つの収納箱はともに二つの殻体内に収納され、前記制御装置が第二位置にある場合、第一収納箱は自動に開き、前記制御装置が第三位置にある場合、第二収納箱は自動に開くことを特徴とする請求項１記載の工具箱。
【請求項３】
工具箱であって、
第三収納空間が設けられてある第一殻体と、
収納部と収納空間が設けられ、第一殻体に結合される第二殻体と、
前記二つの殻体に枢設されて二つの殻体の収納空間に収納され、勾部が設けられてある第三収納箱と、
第二殻体の収納部に設けられ、勾部が設けられてある制御装置と、を備え、
制御装置が第一位置にある場合、制御装置の勾部は第三収納箱の勾部に引っ掛かって第三収納箱を二つの殻体内に収納し、制御装置が第二位置にある場合、制御装置の勾部は第一収納箱の勾部に引っ掛かることなく、第三収納箱は自動的に開くことを特徴とする工具箱。
【請求項４】
前記制御装置は弾き具と制御部材と弾性体を備え、弾き具は第二殻体の収納部に取り付けられ、制御部材は収納部に収納され、弾き具の一端は弾き部で、他の一端は制御部であり、制御部材には凹溝が設けられ、制御部は凹溝に挟まれて制御部材を動かし移動し、制御装置の勾部は制御部材に設けられて第三収納箱に引っ掛け、弾性体は制御部材の突起部に設けられ、第三収納箱の両側にはそれぞれ枢部が設けられ、二つの殻体が対応する個所にはそれぞれ枢孔が設けられ、枢部は枢孔に枢設され、二つの殻体の枢孔近くにはそれぞれ当て部が設けられ、第三収納箱の周縁は二つの殻体の当て部に当て付けることを特徴とする請求項３記載の工具箱。
【請求項５】
工具箱であって、
収納部と、第一収納空間と第三収納空間が設けられてある第一殻体と、
収納部と収納空間が設けられ、第一殻体に結合される第二殻体と、
当て部が設けられ、かつ前記二つの殻体に枢設されて第一殻体の第一収納空間に収納される第一収納箱と、
勾部が設けられ、かつ前記二つの殻体に枢設されて第一殻体の第三収納空間と第二殻体の収納空間に収納される第三収納箱と、
第一殻体の収納部に設けられ、当て部が設けられてある第一制御装置と、
第二殻体の収納部に設けられ、勾部が設けられてある第二制御装置と、を備え、
第一制御装置が第一位置にある場合、第一制御装置の当て部は第一収納箱の当て部に当て付けて第一収納箱を二つの殻体内に収納し、第一制御装置が第二位置にある場合、第一制御装置の当て部は第一収納箱の当て部に当て付けることなく、第一収納箱は自動的に開き、第二制御装置が第一位置にある場合、第二制御装置の勾部は第三収納箱の勾部に引っ掛かって第三収納箱を二つの殻体内に収納し、第二制御装置が第二位置にある場合、第二制御装置の勾部は第三収納箱の勾部に引っ掛かることなく、第三収納箱は自動的に開くことを特徴とする工具箱。
【請求項６】
前記二つの殻体にはそれぞれ孔が設けられ、前記第一制御装置は弾き具、制御部材、弾性部材と弾性体を備え、弾き具の一端は弾き部で、他端は制御部であり、制御部材には据え置き溝と凹孔が形成され、弾性体はちょうど凹孔に設けられ、前記制御部は据え置き溝に設けられ、弾き具は二つの殻体の孔に取り付けられて制御部材を動かし移動し、第一制御装置の当て部は制御部材に設けられて第一収納箱の当て部に対応し、弾性部材の第一脚は第一殻体に嵌め付けられ、第一収納箱の当て部近くには凹欠けが設けられ、弾性部材の第二脚は凹欠けに嵌め付けられて弾性部材を圧縮し、二つの殻体にはそれぞれ二つの嵌め部が設けられ、第一収納箱には二つの枢部が設けられ、枢部は嵌め部に対応して二つの殻体に相対して枢転することができ、前記第二殻体の嵌め部近くには枢部が設けられ、第一収納箱には弧形孔が設けられ、第二殻体の枢部は弧形孔に対応して第一収納箱を枢転し、第一殻体には更に第二収納空間が設けられ、他に第二収納空間に第二収納箱が設けられ、第一制御装置が第一位置にある場合、第一と第二収納箱はともに二つの殻体内に収納され、第一制御装置が第二位置にある場合、第一収納箱は自動に開き、第一制御装置が第三位置にある場合、第二収納箱は自動に開き、前記第二制御装置は弾き具、制御部材、勾部と弾性体を備え、弾き具は第二殻体の収納部に取り付けられ、制御部材は第二殻体の収納部に収納され、弾き具の一端は弾き部で、他端は制御部であり、制御部材には凹溝が設けられ、制御部は凹溝に挟まれて制御部材を動かし移動させ、勾部は制御部材に設けられて第三収納箱を引っ掛け、弾性体は制御部材の突起部に設けられ、第三収納箱の両側にはそれぞれ枢部が設けられ、二つの殻体が対応する個所にはそれぞれ枢孔が設けられ、枢部は枢孔に枢設され、二つの殻体の枢孔近くにはそれぞれ当て部が設けられ、第三収納箱の周縁は二つの殻体の当て部に当て付けてあることを特徴とする請求項５記載の工具箱。
【考案の詳細な説明】
【技術分野】
【０００１】
本考案は工具箱に係り、特に容易かつ迅速に開ける工具箱に関するものである。
【背景技術】
【０００２】
台湾特許第Ｍ３０３０９１号公報（『工具箱』）を参照されたい。従来の工具箱には底座と、それの一端は底座の一端に枢接し、外の一端には嵌め止め構造を備える蓋が設けられ、嵌め止め構造はすなわち伝統的嵌め止めの結合であり、それは底座と蓋にそれぞれ二つの嵌めフック(hook)と二つの嵌め溝が設けられ、嵌めフックを嵌め溝に引っ掛けることによって嵌め止めの機能が達成される。
【０００３】
従来の嵌め止めによって結合する方式では、使用者は容易かつ迅速にそれを開けることができず、使用者は片手で底座を持ち、他の手で蓋を持ち、同時に嵌めフックを動かさなければ蓋と底座を相対して枢転することができず、この方式は確かに使いにくいので、それを改善する必要がある。本考案の考案者はこのことに鑑み、弾き具を弾き動かすだけで工具箱が自動的に開く設計を研究開発し、容易かつ迅速に開く効能を確実に達成することができた。
【特許文献１】台湾特許第Ｍ３０３０９１号公報
【考案の開示】
【考案が解決しようとする課題】
【０００４】
本考案の『工具箱』が解決しようとする技術問題は、従来の工具箱は両手で同時に作動しなければ開けることができず、かつ快速に開けることができず、それを改善することができないという点である。本考案者は上記不便な問題に対し、快速に開くことができる工具箱を開発し、使用者により便利で、より使いやすい創造を提供する。
【課題を解決するための手段】
【０００５】
本考案の『工具箱』は二つの殻体によって第一、第二と第三収納箱を収納し、かつ第一制御装置の制御部材の当て部を用いて第一と第二収納箱の枢転を当て付け制限し、第一制御装置の弾き具を弾き動かすと、当て部は二つの収納箱の当て部を当て付けなく、かつ弾性部材を用いて弾性的釈放によって、自動的に二つの収納箱を開く。その他、第三収納箱は第二制御装置の勾部を用いて引っ掛け、第二制御装置の当て部を弾き動かすと、第二制御装置の勾部は第三収納箱の勾部から離れ、第三収納箱は自動的に開くことができる。
【考案の効果】
【０００６】
本考案によれば、本考案は次のような効果がある。
１．本考案の『工具箱』の収納箱は制御装置によって快速に制御され、自動的に開けることができる。
【０００７】
２．本考案の『工具箱』は操作が容易であり、片手だけで収納箱を開くことができる。
【０００８】
３．本考案の『工具箱』は弾き具を弾き動かすだけで、収納箱を開けることができる。
【考案を実施するための最良の形態】
【０００９】
図１と図２本考案の工具箱の立体外観図と立体分解図を参照ください。その工具箱は第一殻体10と第二殻体20を含み、二つの殻体10、20の間には第一収納箱30、第二収納箱40と第三収納箱50を備え、これら収納箱30、40、50はそれぞれ第一制御装置60と第二制御装置70によって枢転開きが制御される。
【００１０】
第一殻体10と第二殻体20は周縁の複数の嵌め止め部11、21によって嵌め止め固定され、第一殻体10は更に複数のねじによって第二殻体20に締め付けられる。第一、第二殻体10、20の頂上部にはそれぞれ二つの殻体10、20の内部に連通し、かつ第一殻体10の二つの収納部13に連通する孔12、22が設けられてある。二つの収納部13の下側には面積のやや大きい第一収納空間14と第二収納空間15が形成され、二つの収納空間14、15を囲いだす壁面には四つの嵌め部16が設けられ、収納部13に近い二つの嵌め部16には二つの収納空間14、15に向かって二つの凸部17が設けられてある。第一収納空間14は開放状に現れ、第二収納空間15は閉鎖状に現れ、第二収納空間15の他の一側には第三収納空間18が形成され、第三収納空間18の壁面は枢孔19が形成される。
【００１１】
第二殻体20の第一、第二収納空間14、15に対応する個所には開放式欠け口23が形成され、欠け口23の上下壁面には四つの嵌め部24と一つの枢部25が形成され、欠け口23の傍は収納空間26であり、収納空間26の上側には収納部27が設けられ、下側には枢孔28が設けられてある。
【００１２】
第一収納空箱30の第一端には枢部31、当て部32と当て部32の底部に設けられてある凹欠け33が設けられ、凹欠け33は枢部31から当て部32までに延伸し、当て部32と枢部31の間には隙間34が形成され、当て部32は斜面状に現れる。第一収納空箱30の第二端にも枢部35と弧形孔36が設けられ、両端の中間にツールヘッド(tool head)を置くための複数の収納孔37が設けられてある。第二収納空箱40は第一収納空箱30と同じ態様に実施され、第二収納空箱40に弧形孔36が設けられていないだけである。
【００１３】
第三収納箱50の底部両側にはそれぞれ枢部51が設けられ、頭部には勾部52が突き出して設けられ、底部近くには収納部53が設けられてある。枢部51はちょうど二つの殻体10、20の枢孔19、28に設けられてある。
【００１４】
第一制御装置60は弾き具61、二つの弾性部材62、二つの制御部材63と二つの弾性部材64を含む。その中、弾き具61の一端は弾き部611で、他の一端は制御部612であり、制御部612は四脚に実施され、制御部612は二つの殻体10、20の孔12、22に取り付けられて横方向に移動することができる。弾性部材62は第一殻体10の凸部17に設けられ、弾性部材62の第一脚621は第一殻体10に制限され、第二脚622は二つの収納箱30、40の凹欠け33、43に弾性的に圧縮して当て付けられてある。二つの制御部材63は第一殻体10の二つの収納部13に設けられ、制御部材63の一側には二つの据え置き溝631が設けられ、弾き具61の制御部612は据え置き溝631に取り付けられてある。制御部材63の他の一側は凹孔632に形成され、弾性部材64は凹孔632に取り付けられてある。制御部材63の底部には当て部633が設けられ当て部633は斜面状に現れる。弾き具61の制御部612は二つの殻体10、20の孔12、22に取り付けられ、制御部612は二つの制御部材63の据え置き溝631に取り付けられて制御部材63は横方向に移動することができる。
【００１５】
第二制御装置70は弾き具71、制御部材72と弾性体73を含む。弾き具71の一端は弾き部711で、他の一端は制御部712であり、制御部712は二脚に実施され、弾き具71は第二殻体20の収納部27に取り付けられ、弾き部711は外に露出している。制御部材72の一端には弾性体73に取り付けてある凸部721が設けられ、制御部材72の他の一端には勾部722が形成され、両端の中間には二つの凹溝723が設けられ、制御部材72は第二殻体20の収納部27に設けられ、制御部材72の制御部712はちょうど凹溝723に設けられて制御部材72を挟み持つ。
【００１６】
図３と図４本考案の工具箱の第三収納箱50の開き作動図を参照ください。第三収納箱50の一端は枢部51によって二つの殻体10、20の枢孔19、28に枢設され、他の一端は勾部52によって第二制御装置70の制御部材72の勾部722に引っ掛けられる。使用者は弾き具71を上へ弾き動かし、制御部材72の勾部722を本来それと引っ掛かってある勾部52と分離させ、第三収納箱50は枢転して開くが、第三収納箱50の開き状態を制限するため、二つの殻体10、20の底部対応個所にそれぞれ当て部101、201が設けられ、第三収納箱50が枢転した場合、第三収納箱50底部の周縁54は当て部101、201に当て付けられる。
【００１７】
図５と図６の第一、第二収納箱30、40が工具箱に収納された意表図を参照ください。弾き具61が第一位置にある場合、二つの弾性部材62はともに弾性釈放状態であり、二つの制御部材63の当て部633はちょうど第一、第二収納箱30、40の当て部32、42に当て付け、二つの収納箱30、40の開きを制限する。
【００１８】
図７から図９の第一収納箱30の開きの作動図を参照ください。弾き具61を第二位置に弾き動かした場合、制御部612は制御部材63を動かし移動して弾性体64が圧縮され、このとき、制御部材63の当て部633は第一収納箱30の当て部32から離れ、本来は弾性圧縮された弾性体62は釈放されて第一収納箱30を押し動かして開き、このとき、第一収納箱30底部の弧形孔36は第二殻体20の枢部25に対応して外へ転回する。
【００１９】
図１０から図１２の第二収納箱40の開きの作動図を参照ください。弾き具61を第三位置に弾き動かした場合、制御部612は別の制御部材63を動かし移動して弾性体64が圧縮され、このとき、制御部材63の当て部633は第二収納箱40の当て部42から離れ、本来は弾性圧縮された弾性体62は釈放されて第二収納箱40を押し動かして開く。
【００２０】
図１３と図１４には、工具箱の第一、第二と第三収納箱30、40、50が開いた立体外観図及び意表図を示す。工具箱においては弾き具61、71を弾き動かすことによって、収納箱30、40、50を自動に開くことができ、操作は便利であり、使用者は片手で操作することができる。第一、第二収納箱30、40は仕様の違うツールヘッドをしまい込むことができ、第三収納箱50はスパナ(spanner)をしまい込み、スパナにツールヘッドを接続すれば多様化の効能が得られる。
【００２１】
本考案の工具箱は数個の工具箱を二つの殻体に枢設し、第一制御装置の弾き具によって制御部材を横方向へ移動し、弾性部材は弾性的に釈放して収納箱を押し動かして外へ枢転させ、自動的に開ける収納箱が得られる。別の収納箱は第二制御装置によって引っ掛け収納され、弾き具を弾き動かして制御部材を移動し、収納箱の勾部から離脱させれば収納箱は自動的に開く。
【図面の簡単な説明】
【００２２】
【図１】本考案の工具箱の立体外観図である。
【図２】本考案の工具箱の立体分解図である。
【図３】本考案の第三収納箱が収納された意表図である。
【図４】本考案の第三収納箱が開いた意表図である。
【図５】本考案の図１の５−５断面線から取った断面図であり、弾き具が第一位置にあることを示す。
【図６】本考案の図１の６−６断面線から取った断面図であり、弾き具の当て部が二つの収納箱の開きを制限していることを示す。
【図７】本考案の図５の延長であり、弾き具が第二位置にあることを示す。
【図８】本考案の図７の延長であり、弾き具の当て部が第一収納箱を当て付けていないことを示す。
【図９】本考案の図８の延長であり、第一収納箱が開いていることを示す。
【図１０】本考案の図５の延長であり、弾き具が第三位置にあることを示す。
【図１１】本考案の図１０の延長であり、弾き具の当て部が第二収納箱を当て付けていないことを示す。
【図１２】本考案の図１１の延長であり、第二収納箱が開いていることを示す。
【図１３】本考案の収納箱が開いている立体外観図である。
【図１４】本考案の収納箱にツールヘッドとスパナがしまい込んである意表図である。
【符号の説明】
【００２３】
10      第一殻体
11      嵌め止め部
12      孔
13      収納部
14      第一収納空間
15      第二収納空間
16      嵌め部
17      凸部
18      第三収納空間
19      枢孔
101     当て部
20      第二殻体
21      嵌め止め部
22      孔
23      欠け口
24      嵌め部
25      枢部
26      収納空間
27      収納部
28      枢孔
201     当て部
30      第一収納箱
31      枢部
32      当て部
33      凹欠け
34      隙間
35      枢部
36      弧形孔
37      収納孔
40      第二収納箱
41      枢部
42      当て部
43      欠け口
44      隙間
45      枢部
50      第三収納箱
51      枢部
52      勾部
53      収納部
54      周縁
60      第一制御装置
61      弾き具
611     弾き部
612     制御部
62      弾性部材
621     第一脚
622     第二脚
63      制御部材
631     据え置き溝
632     凹孔
633     当て部
64      弾性体
70      第二制御装置
71      弾き具
711     弾き部
712     制御部
72      制御部材
721     凸部
722     勾部
723     凹溝
73      弾性体
【図１】
0003149504.tif 000003
【図２】
0003149504.tif 000004
【図３】
0003149504.tif 000005
【図４】
0003149504.tif 000006
【図５】
0003149504.tif 000007
【図６】
0003149504.tif 000008
【図７】
0003149504.tif 000009
【図８】
0003149504.tif 000010
【図９】
0003149504.tif 000011
【図１０】
0003149504.tif 000012
【図１１】
0003149504.tif 000013
【図１２】
0003149504.tif 000014
【図１３】
0003149504.tif 000015
【図１４】
0003149504.tif 000016
【手続補正書】
【提出日】平成21年1月22日(2009.1.22)
【手続補正１】
【補正対象書類名】実用新案登録請求の範囲
【補正対象項目名】全文
【補正方法】変更
【補正の内容】
【実用新案登録請求の範囲】
【請求項１】
工具箱であって、
収納部と第一収納空間が設けられてある第一殻体と、
第一殻体に結合される第二殻体と、
前記二つの殻体に枢設されて第一収納空間に収納され、当て部が設けられてある第一収納箱と、
第一殻体の収納部に設けられ、当て部が設けられてある制御装置と、を備え、
制御装置が第一位置にある場合、制御装置の当て部は第一収納箱の当て部に当て付けて第一収納箱を二つの殻体内に収納し、制御装置が第二位置にある場合、制御装置の当て部は第一収納箱の当て部に当て付けることなく、第一収納箱は自動的に開くことを特徴とする工具箱。
【請求項２】
前記制御装置は弾き具、制御部材、弾性部材と弾性体を備え、弾き具の一端は弾き部で、他端は制御部であり、二つの殻体にはそれぞれ孔が設けられ、前記弾き具の制御部は孔に取り付けられて前記制御部材を動かし移動し、前記制御装置の当て部は前記制御部材に設けられて第一収納箱の当て部に対応し、前記制御部材には据え置き溝が形成され、前記制御部は前記据え置き溝に設けられ、前記弾性部材の第一脚は第一殻体に嵌め付けられ、第一収納箱の当て部近くには凹欠けが設けられ、前記弾性部材の第二脚は凹欠けに嵌め付けられて弾性部材を圧縮し、前記制御部材には凹孔が設けられ、前記弾性体はちょうど前記凹孔に設けられ、二つの殻体にはそれぞれ二つの嵌め部が設けられ、第一収納箱には二つの枢部が設けられ、第一収納箱の枢部は嵌め部に対応して二つの殻体に相対して枢転することができ、第二殻体の嵌め部近くには枢部が設けられ、第一収納箱には弧形孔が設けられ、第二殻体の枢部は弧形孔に対応して第一収納箱を枢転させ、第一殻体には更に第二収納空間が設けられ、他に第二収納空間に第二収納箱が設けられ、前記制御装置が第一位置にある場合、二つの収納箱はともに二つの殻体内に収納され、前記制御装置が第二位置にある場合、第一収納箱は自動に開き、前記制御装置が第三位置にある場合、第二収納箱は自動に開くことを特徴とする請求項１記載の工具箱。
【請求項３】
工具箱であって、
収納部と、第一収納空間と第三収納空間が設けられてある第一殻体と、
収納部と収納空間が設けられ、第一殻体に結合される第二殻体と、
当て部が設けられ、かつ前記二つの殻体に枢設されて第一殻体の第一収納空間に収納される第一収納箱と、
勾部が設けられ、かつ前記二つの殻体に枢設されて第一殻体の第三収納空間と第二殻体の収納空間に収納される第三収納箱と、
第一殻体の収納部に設けられ、当て部が設けられてある第一制御装置と、
第二殻体の収納部に設けられ、勾部が設けられてある第二制御装置と、を備え、
第一制御装置が第一位置にある場合、第一制御装置の当て部は第一収納箱の当て部に当て付けて第一収納箱を二つの殻体内に収納し、第一制御装置が第二位置にある場合、第一制御装置の当て部は第一収納箱の当て部に当て付けることなく、第一収納箱は自動的に開き、第二制御装置が第一位置にある場合、第二制御装置の勾部は第三収納箱の勾部に引っ掛かって第三収納箱を二つの殻体内に収納し、第二制御装置が第二位置にある場合、第二制御装置の勾部は第三収納箱の勾部に引っ掛かることなく、第三収納箱は自動的に開くことを特徴とする工具箱。
【請求項４】
前記二つの殻体にはそれぞれ孔が設けられ、前記第一制御装置は弾き具、制御部材、弾性部材と弾性体を備え、弾き具の一端は弾き部で、他端は制御部であり、制御部材には据え置き溝と凹孔が形成され、弾性体はちょうど凹孔に設けられ、前記制御部は据え置き溝に設けられ、弾き具は二つの殻体の孔に取り付けられて制御部材を動かし移動し、第一制御装置の当て部は制御部材に設けられて第一収納箱の当て部に対応し、弾性部材の第一脚は第一殻体に嵌め付けられ、第一収納箱の当て部近くには凹欠けが設けられ、弾性部材の第二脚は凹欠けに嵌め付けられて弾性部材を圧縮し、二つの殻体にはそれぞれ二つの嵌め部が設けられ、第一収納箱には二つの枢部が設けられ、枢部は嵌め部に対応して二つの殻体に相対して枢転することができ、前記第二殻体の嵌め部近くには枢部が設けられ、第一収納箱には弧形孔が設けられ、第二殻体の枢部は弧形孔に対応して第一収納箱を枢転し、第一殻体には更に第二収納空間が設けられ、他に第二収納空間に第二収納箱が設けられ、第一制御装置が第一位置にある場合、第一と第二収納箱はともに二つの殻体内に収納され、第一制御装置が第二位置にある場合、第一収納箱は自動に開き、第一制御装置が第三位置にある場合、第二収納箱は自動に開き、前記第二制御装置は弾き具、制御部材、勾部と弾性体を備え、弾き具は第二殻体の収納部に取り付けられ、制御部材は第二殻体の収納部に収納され、弾き具の一端は弾き部で、他端は制御部であり、制御部材には凹溝が設けられ、制御部は凹溝に挟まれて制御部材を動かし移動させ、勾部は制御部材に設けられて第三収納箱を引っ掛け、弾性体は制御部材の突起部に設けられ、第三収納箱の両側にはそれぞれ枢部が設けられ、二つの殻体が対応する個所にはそれぞれ枢孔が設けられ、枢部は枢孔に枢設され、二つの殻体の枢孔近くにはそれぞれ当て部が設けられ、第三収納箱の周縁は二つの殻体の当て部に当て付けてあることを特徴とする請求項３記載の工具箱。